(57)【要約】  本発明は日本語文字入力方法及び装置に関するものであって、本発明は日本語の子音行と濁音行の代表文字を割り当てて１２行の子音部を構成し、「あ」行の５個の母音と「あ」行の３個の半母音を含む８段の母音部を構成する。  上記子音部の文字行それぞれを３個の拗音を含む文字段８段で構成し、上記母音部の８個の文字と上記子音部の８段文字段に一対一で対応させ、行文字８段の入力要素を設定する。上記行文字８段構成の入力要素によって、子音部の文字行１つを選択し、母音部の文字段１つを入力する順次入力方式、及び母音部のキーボタンを選択して母音部のキーボタンに対応する特定文字１つを入力することを特徴とする日本語行文字８段の入力方法及び装置を提供する。
2011521309.tif 000002
【特許請求の範囲】
【請求項１】
日本語入力方法において、７個の子音(か、さ、た、な、は、ま、ら)行と５個の濁音及び半濁音(が、ざ、だ、ば、ぱ)行との１２個の「あ」段文字で子音部を構成して各キーボタンに表示する段階；
前記子音(か、さ、た、な、は、ま、ら、が、ざ、だ、ば、ぱ)部の行文字それぞれを、拗音(Ｘゃ、Ｘゅ、Ｘょ)を含む８(あ、い、う、え、お、Ｘゃ、Ｘゅ、Ｘょ)段の文字段で構成する段階；
「あ」行の母音５(あ、い、う、え、お)字と「や」行の半母音３(や、ゆ、よ)字とを含む８段の母音(あ、い、う、え、お、や、ゆ、よ)部を構成して各キーボタンに表示する段階；
前記子音部の文字段８(あ、い、う、え、お、Ｘゃ、Ｘゅ、Ｘょ)段と母音部の文字８(あ、い、う、え、お、や、ゆ、よ)個と一対一で対応する「あ」段、「い」段、「う」段、「え」段、「お」段、「や」段、「ゆ」段、「よ」段の行文字８段の入力要素を設定する段階；
前記子音部のキーボタン１つを選択して行文字を入力し、前記母音部のキーボタン１つを選択して段文字を入力する順次入力段階；及び
前記母音部のキーボタン１つを選択して母音(あ、い、う、え、お、や、ゆ、よ)部の８個の文字のうちいずれか１つを入力する段階；を含むことを特徴とする日本語行文字８段の入力方法。
【請求項２】
「わ」行の第２母音の２個の文字(わ、を)と、促音(っ)、撥音(ん)、長音(ー)を個別文字で各キーボタンに更に割り当てて、「わ」、「を」の２字と、個別文字である促音(っ)、撥音(ん)、長音(ー)が表示されたキーボタンに対応して入力するようにすることを更に含むことを特徴とする請求項１に記載の日本語行文字８段の入力方法。
【請求項３】
縮小型３Ｘ４配列の文字キーを用いる日本語入力方法において、
７個のキーボタンに文字行を代表する７個の子音(か、さ、た、な、は、ま、ら)を第１文字として、５個の濁音(が、ざ、だ、ば、ぱ)を第２文字として各キーボタンに割り当てて子音(か、さ、た、な、は、ま、ら、が、ざ、だ、ば、ぱ)部を構成する段階；
７個のキーボタンに「あ」行の母音(あ、い、う、え、お)５個を第１文字として、「や」行の半母音(や、ゆ、よ)３個を第２文字として各キーボタンに割り当てて母音(あ、い、う、え、お、や、ゆ、よ)部を構成する段階；
前記子音部の文字行それぞれを、拗音(Ｘゃ、Ｘゅ、Ｘょ)を含む８段(あ、い、う、え、お、Ｘゃ、Ｘゅ、Ｘょ)の文字段で構成する段階；
前記文字段８段(あ、い、う、え、お、Ｘゃ、Ｘゅ、Ｘょ)を前記母音部の８個の文字(あ、い、う、え、お、や、ゆ、よ)に一対一で対応させ、「あ」段、「い」段、「う」段、「え」段、「お」段、「や」段、「ゆ」段、「よ」段の入力要素を構成する段階；
前記子音部の７個のキーボタンのうちいずれか１つを選択して行文字１つを入力し、前記母音部の５個のキーボタンのうちいずれか１つを選択して段文字１つを入力する行段入力方式で特定文字１つを入力する段階；及び
前記母音部の５個のキーボタンのうちいずれか１つを選択して母音(あ、い、う、え、お、や、ゆ、よ)部の特定文字１つを入力することを特徴とする日本語行文字８段の入力方法。
【請求項４】
「わ」行の第２母音(お、を)の２字を、母音部に第２文字としてそれぞれ割り当て、撥音と促音を個別文字で子音部に第２文字としてそれぞれ割り当てて単独文字で入力することを更に含むことを特徴とする請求項３に記載の日本語行文字８段の入力方法。
【請求項５】
子音部の子音、濁音、または半濁音のうちいずれか１つを入力し、前記母音部の母音のうちいずれか１つを順次入力することで、それに対応する子音、濁音または半濁音のうちいずれか１つが入力される段階；
前記子音部の子音、濁音、または半濁音のうちいずれか１つを入力し、前記母音部の半母音のうちいずれか１つを順次入力することで、それに対応する拗音が入力される段階；
前記母音部の母音または前記半母音のキーボタンを入力することで、それに対応する母音または半母音のうち１つが入力される段階；を含むことを特徴とする請求項１及び請求項３のいずれか１項に記載の日本語行文字８段の入力方法。
【請求項６】
前記子音部の文字行キーボタンのいずれか１つの入力があれば、それによる２行多数列の文字テーブルを表示装置の画面の一側に出力し、前記文字テーブルは子音キーボタンによって選択された行文字に対する８段の文字と文字入力を指示する数字とが一対一で対応することを特徴とする請求項３に記載の日本語行文字８段の入力方法。
【請求項７】
日本語入力のための３Ｘ４配列のキー入力を受信する入力部と、文字テーブルを格納する格納部と、文字テーブルから文字を呼び出して表示する制御部とを備える文字入力装置において、
１２個のキーボタンのうち、７個のキーボタンそれぞれに７個の子音(か、さ、た、な、は、ま、ら)を第１文字として、４個の濁音(が、ざ、だ、ば)を第２文字として表示して子音部を構成し、他の５個のキーボタンそれぞれに５個の母音(あ、い、う、え、お)を第１文字として、３個の半母音(や、ゆ、よ)を第２文字として表示して母音(あ、い、う、え、お、や、ゆ、よ)部を構成し、
使用者が前記子音部のキーボタンを選択して行文字のうち１つを入力し、前記母音部のキーボタンを選択して母音部の文字１つを順次入力し、前記母音部のキーボタンを選択して母音部のキーボタンに対応する文字１つを入力することで、前記入力された文字を表示装置の画面に出力されるようにすることを特徴とする日本語行文字８段の入力装置。
【請求項８】
前記７個の子音キーボタンのうち「か、さ、た、は」が第１文字として割り当てられた４個のキーボタンに、濁音「が、ざ、だ、ば」を第２文字として割り当てて、子音「か」と濁音「が」、 子音「さ」と濁音「ざ」、子音「た」と濁音「だ」、子音「は」と濁音「ば」が共に割り当てられ、前記７個のキーボタンのうち、第２文字が割り当てられなかったキーボタンに半濁音「ぱ」を第２文字として更に割り当てることを特徴とする請求項７に記載の日本語行文字８段の入力装置。
【請求項９】
前記子音部の７個のキーボタンと母音部の５個のキーボタンのうち、第２文字が割り当てられなかった多数のキーボタンに、第２母音「わ、を」と、撥音「ん」と促音「っ」とを第２文字としてそれぞれ割り当てることを特徴とする請求項７に記載の日本語行文字８段の入力装置。
【請求項１０】
前記５個の母音キーボタンには母音(あ、い、う、え、お)を第１文字として、半母音(や、ゆ、よ)を第２文字として、長音(ー)を第３文字として５個のキーボタンにそれぞれ割り当てることを特徴とする請求項７に記載の日本語行文字８段の入力装置。
【請求項１１】
前記７個の子音キーボタンにはそれぞれの入力モード切り替えキーを更に割り当て、前記入力モード切り替えキーは平仮名、片仮名、漢字、数字、英語小文字、英語大文字、及び特殊文字のうちいずれか１つを選択するキーであることを特徴とする請求項７に記載の日本語行文字８段の入力装置。
【請求項１２】
キーボタンに割り当てられた第１文字はキーボタンを１回入力し、第２文字はキーボタンを２回入力し、第３文字はキーボタンを３回または一定時間を長く押して入力するようにすることを特徴とする請求項１に記載の日本語行文字８段の入力装置。
【発明の詳細な説明】
【技術分野】
【０００１】
本発明は日本語文字入力方法及び装置に関するものであって、特に、子音行と濁音行の代表文字をキーボタンに割り当てて子音部を構成し、「あ」行の５個の母音と「や」行の３個の半母音を割り当てて母音部を構成した後、上記子音部の文字行それぞれを３個の拗音を含む文字段８段で構成し、上記８段の文字段を上記母音部の８文字に一対一で対応する日本語入力要素を設定して仮名文字を入力するようにした日本語行文字８段の入力方法及び装置に関する。
【背景技術】
【０００２】
従来の日本語入力方法は、仮名文字５０音図に基づいた１０(あ、か、さ、た、な、は、ま、や、ら、わ)行、５(あ、い、う、え、お)段構成の入力方式を使う。
【０００３】
上記のような５０音図に基づいた１０行５段入力方式の日本語キーボード、携帯電話などの日本語入力装置では、２個の文字からなる拗音(Ｘゃ、Ｘゅ、Ｘょ)を入力するために子音と濁音(か、さ、た、な、は、ま、ら、が、ざ、だ、ば、ぱ)行の「い」段文字を入力した後、また半母音「や、ゆ、よ」の小さな文字の入力キーを操作して拗音(Ｘゃ、Ｘゅ、Ｘょ)を入力しなければならない。
【０００４】
上記のような１０行５段構成の入力方式を使うキーボード、携帯電話などの日本語入力装置では、文字行５段の５０音図入力方式と複雑な拗音入力方式とに二元化された日本語入力方法を使っているため、仮名文字の入力効率が低くて効率的な入力装置の構成が難しく、文字入力が複雑且つ不便であるという問題点がある。
【発明の概要】
【発明が解決しようとする課題】
【０００５】
本発明は上記のような従来技術の問題点を解決するために案出されたものであって、本発明の目的は日本語を容易に入力することができる日本語行文字８段の入力方法を提供することである。
【０００６】
本発明の他の目的は操作が簡便で、易しく熟知することができる効率的な文字配列を有する簡潔な日本語入力装置を提供することである。
【課題を解決するための手段】
【０００７】
上記の目的は、７個の子音(か、さ、た、な、は、ま、ら)と５個の濁音及び半濁音(が、ざ、だ、ば、ぱ)行との１２個の「あ」段文字を各キーボタンに表示して子音部を構成し、上記子音(か、さ、た、な、は、ま、ら、が、ざ、だ、ば、ぱ)部の１２個の文字行それぞれを拗音(Ｘゃ、Ｘゅ、Ｘょ)を含む文字段８(あ、い、う、え、お、Ｘゃ、Ｘゅ、Ｘょ)段を構成し、
また「あ」行の５個の母音(あ、い、う、え、お)と「や」行の３個の半母音(や、ゆ、よ)を各キーボタンに表示して８個の母音(あ、い、う、え、お、や、ゆ、よ)部を構成し、上記子音部の文字段８(あ、い、う、え、お、Ｘゃ、Ｘゅ、Ｘょ)段と母音部の文字８(あ、い、う、え、お、や、ゆ、よ)段と一対一で対応する行文字８段の入力要素を構成し、
上記子音部のキーボタン１つを選択して行文字を入力し、上記母音部のキーボタン１つを選択して段文字を入力する順次入力で拗音を含む８段文字のうち１つを入力し、
また上記母音部のキーボタン１つを選択して母音部の８段文字のうち１つを入力する日本語入力方法によって達成される。
【０００８】
また、「わ」行の２個の文字(わ、を)と、促音(っ)、撥音(ん)、長音(ー)を個別文字で各キーボタンに更に割り当て、「わ」、「を」２字と、個別文字である促音(っ)、撥音(ん)、長音(ー)が表示されたキーボタンを直接入力してキーボタンに対応する文字を入力するように構成することを更に含むことを特徴とする。
【発明の効果】
【０００９】
本発明によれば、７個の子音(か、さ、た、な、は、ま、ら)と５個の濁音及び半濁音(が、ざ、だ、ば、ぱ)行の文字段を８段で構成し、上記文字段８段が母音と半母音で構成された母音８段に対応して入力される、行文字８段の入力方法を提供することで、日本語を易しく、簡潔に入力することができる効果がある。
【００１０】
また、本発明の日本語行文字８段の入力方式は、文字が直観的なキー配列構造で割り当てられることにより、習いやすく、操作が便利であり、文字入力の打数が少なくて入力が早い、効率的な日本語入力装置を提供することができる。
【図面の簡単な説明】
【００１１】
【図１】本発明を説明するための入力装置を示した図である。
【図２】従来技術のキーパッドの各キーボタンに割り当てられた文字を示した図である。
【図３ａ】本発明に係って文字を割り当てた多様な実施例の一つの図である。
【図３ｂ】本発明に係って文字を割り当てた多様な実施例の一つの図である。
【図４】本発明の画面の一側に出力される文字テーブルを示した図である。
【図５】本発明のそれぞれの文字行に対する文字をマッピングしてそれぞれのキーボタンに対応させた文字テーブルである。
【図６】本発明による日本語入力方法を説明するための概略的な流れ図である。
【図７】本発明による日本語の片仮名、漢字または第３文字を入力するための文字入力モード変換方法を説明するための概略的な流れ図である。
【図８】本発明による文字入力モード切り替えキーボタンを押すことにより画面の一側に出力される入力モードのメニューテーブルである。
【発明を実施するための形態】
【００１２】
本発明の一実施例による日本語入力方法において、
文字行を代表する７個の子音(か、さ、た、な、は、ま、ら)行と５個の濁音(が、ざ、だ、ば、ぱ)行を含む１２個の「あ」段文字で子音(か、さ、た、な、は、ま、ら、が、ざ、だ、ば、ぱ)部を構成してキーボタンに割り当てる段階；
「あ」行の母音(あ、い、う、え、お)５個と「や」行の半母音(や、ゆ、よ)３個を含む８個の母音(あ、い、う、え、お、や、ゆ、よ)部を構成してキーボタンに割り当てる段階；
「わ」行の第２母音「わ」及び「を」と、個別文字である促音(っ)、撥音(ん)及び長音(ー)を各キーボタンに個別文字として割り当てる段階；を含み、
上記子音部の文字行それぞれは拗音(Ｘゃ、Ｘゅ、Ｘょ)を含む文字段８段(あ、い、う、え、お、Ｘゃ、Ｘゅ、Ｘょ)を構成する段階；
上記子音部の８段(あ、い、う、え、お、Ｘゃ、Ｘゅ、Ｘょ)文字段を、上記母音部の８文字(あ、い、う、え、お、や、ゆ、よ)に一対一で対応する 「あ」段、「い」段、「う」段、「え」段、「お」段、「や」段、「ゆ」段、「よ」段で設定して日本語行文字８段の入力要素を構成する段階；
上記のように１２個の子音行と８個の母音で入力要素を構成する行文字８段の日本語入力方法は、キーボードまたは様々な形態の縮小型入力装置などに多様な変形の形態で文字を割り当てて日本語入力装置を構成することができる。
【００１３】
上記行文字８段の入力要素によって、まず子音(か、さ、た、な、は、ま、ら、が、ざ、だ、ば、ぱ)部のキーボタンを選択して子音部の行文字１つを入力した後、母音(あ、い、う、え、お、や、ゆ、よ)部のキーボタンを選択して文字段に対応するキーボタンを入力する段階；及び
上記母音(あ、い、う、え、お、や、ゆ、よ)部のキーボタンを選択してそれに対応する母音(あ、い、う、え、お、や、ゆ、よ)部の文字を入力する段階；を含む行文字８段の入力方法であることを特徴とする。
【００１４】
上記のような入力方法により入力される文字を具体的に説明すると、子音部の子音、濁音、または半濁音のうちいずれか１つを入力し、上記母音部の母音のうちいずれか１つを順次入力することで、それに対応する子音、濁音または半濁音のうちいずれか１つが入力され、上記子音部の子音、濁音、または半濁音のうちいずれか１つを入力し、上記母音部の半母音のうちいずれか１つを順次入力することで、それに対応する拗音が入力され、上記母音部の母音または上記半母音のうちボタン１つを入力することで、それに対応する母音または半母音のうち１つが入力される。
【００１５】
また上記「わ」行の第２母音「わ」及び「を」と、個別文字である促音(っ)、撥音(ん)及び長音(ー)のキーボタンを選択して上記キーボタンに対応する特定文字１つを入力する段階を更に含むことを特徴とする。
【００１６】
上述した行文字８段の入力方法にしたがって入力される文字を図５に示した。図５の文字テーブルの左側の縦は子音部を構成する文字行の子音キーを、上段の横は文字段に対応する母音キーを表したものである。また個別入力と母音入力はキーボタンに表示された文字に対応して直接入力する文字を表したものである。
【実施例】
【００１７】
以下、本発明による入力装置の一例を説明する。ここでは入力装置として３Ｘ４配列のキーパッドを例に挙げた日本語入力方法による入力装置について説明する。
【００１８】
図１は本発明による日本語入力装置の構成を概略的に示すブロック図である。
図１に示すように、本発明による日本語入力装置の構成は制御部１０と、入力部２０と、表示部３０及び格納部４０とで構成される。
【００１９】
本発明によって３Ｘ４配列のキーパッドに仮名文字を割り当てる方法は以下の通りである。
図３ａ及び図３ｂに示すように、３Ｘ４配列の１２個のキーボタンのうち、７個のキーボタンを子音部に、５個のキーボタンを母音部に分け、子音部の７個のキーボタンに７個の子音行「あ」段の子音(か、さ、た、な、は、ま、ら)を第１文字として割り当て、上記４個の子音(か、さ、た、は)が割り当てられたキーボタンに４個の濁音(が、ざ、だ、ば)を第２文字として割り当てることを特徴とする。
【００２０】
そして半濁音「ぱ」は、濁音(が、ざ、だ、ば)のように、子音部の７個のキーボタンのうち第２文字が割り当てられなかったいずれか１つのキーボタンに第２文字として割り当てることを特徴とする。
【００２１】
また、母音部の５個のキーボタンには５個の母音(あ、い、う、え、お)をそれぞれ第１文字として割り当て、半母音(や、ゆ、よ)を第２文字としてそれぞれ割り当てることを特徴とする。
【００２２】
そして２個の第２母音「わ、を」を５個の母音が割り当てられたキーボタンに半母音と同様に第２文字としてそれぞれ割り当てて母音系列の文字を直接入力することができるように構成するのが望ましい。
【００２３】
また、個別文字である撥音(ん)と促音(っ)を子音部の７個のキーボタンのうち、第２文字が割り当てられなかったキーボタンに第２文字としてそれぞれ割り当てて直接入力することができるようにすることを特徴とする。
【００２４】
上記のように割り当てられる文字は、各キーボタンの上左側に第１文字を、右側に第２文字を示し、第１文字は１回、第２文字は２回押して入力することを特徴とする。
【００２５】
また個別文字である長音(ー)を５個の母音キーボタンに第３文字としてそれぞれ割り当てて、３回押しまたは一定時間長く押すことによって先行入力された文字が長く発音されることを表す長音(ー)を入力できるようにすることを特徴とする。
【００２６】
また、子音が割り当てられた７個のキーボタンそれぞれに平仮名/片仮名/漢字/数字/英語小文字/英語大文字/特殊文字などの入力モード切り替えキーを第３文字に割り当てて、上記キーボタンいずれか１つを３回または長く押す信号によって上記の入力モードに転換できるようにすることを更に含むことを特徴とする。
【００２７】
日本語入力装置の実施例を図３ａ及び図３ｂを参照して仮名文字を数字キーパッドに割り当てることを具体的に説明する。
【００２８】
図３ａ(日本語入力装置の実施例１)
まず７個の子音(か、さ、た、な、は、ま、ら)を７個の数字ボタン(１、２、４、５、７、８、＊)に第１文字として割り当てる。すなわち、１番のボタンに「か」、２番のボタンに「さ」、４番のボタンに「た」、５番のボタンに「な」、７番のボタンに「は」、８番のボタンに「ま」、＊キーのボタンに「ら」を第１文字として表した。
【００２９】
次に、４個の濁音(が、ざ、だ、ば)は４個の数字キーボタン「１、２、４、７」に「が、ざ、だ、ば」順に対応されるように第２文字として割り当てる。すなわち、１番のボタンに「が」、２番のボタンに「ざ」、４番のボタンに「だ」、７番のボタンに「ば」を第２文字として表した。
【００３０】
次に、キーパッドの右側に５個の母音(あ、い、う、え、お)を５個のキー(３、６、９、０、＃)に第１文字として割り当てた。すなわち、３番キーに「あ」、６番キーに「い」、９番キーに「う」、０番キーに「え」、＃キーに「お」を表した。
３個の半母音(や、ゆ、よ)は母音が割り当てられた５個のキーボタン(３、６、９、０、＃)のうち３個の数字キーボタンに、すなわち、３番キーに「や」、６番キーに「ゆ」、９番キーに「よ」を第２文字としてそれぞれ１字ずつ割り当てて表した。
【００３１】
図３ａを参照すれば、半濁音「ぱ」行を子音「ら」が割り当てられた＊キーに第２文字として割り当てて配列したことを表した。
【００３２】
個別文字である撥音(ん)と促音(っ)は、子音が割り当てられた７個のキーボタンのうち、第２文字として４個の濁音が表示されて残った３個の第２キーボタンのうち２個のキーボタンに、すなわち、「な」が割り当てられた５番キーに撥音(ん)、「ま」が割り当てられた８番キーに促音(っ)を、それぞれ第２文字として割り当てて表した。
【００３３】
また５個のキーボタンのうち、３個の半母音(や、ゆ、よ)を第２文字として割り当てて残った２個の第２キーボタンに２個の第２母音「わ、を」を、すなわち、「え」が割り当てられた０番キーに第２母音「わ」を、「お」が割り当てられた＃キーに第２母音「を」を第２文字としてそれぞれ割り当てて表した。
【００３４】
次は、入力モード変換機能を７個の子音(か、さ、た、な、は、ま、ら)キーボタンにそれぞれ割り当てる。すなわち１番のボタンに平仮名/「さ」ボタンに片仮名/「た」ボタンに漢字/「な」ボタンに数字/「は」ボタンに英小文字/「ま」ボタンに英大文字/「ら」ボタンに特殊文字などを第３文字として割り当てる(図面未図示)ようにする。
【００３５】
図３ｂ(日本語入力装置の実施例２)
上記第１実施例と同様に、図３ａに示すように７個の数字ボタンに子音と濁音を、５個の数字(１、２、３、４、５)キーに母音と半母音をそれぞれ第１文字と第２文字として割り当てて表示した。
【００３６】
まず、７個の子音(か、さ、た、な、は、ま、ら)を７個の数字キー(６、７、８、９、＊、０、＃)に第１文字で表示した。すなわち、６番キーに「か」、７番キーに「さ」、８番キーに「た」、９番キーに「な」、＊番キーに「は」、０番キーに「ま」、＃番キーに「ら」を第１文字に表示されるようにする。
【００３７】
そして半濁音「ぱ」、子音「ま」が割り当てられた０番キーに半濁音「ぱ」を第２文字として割り当てた。
【００３８】
５個の母音(あ、い、う、え、お)を５個のキー(１、２、３、４、５)に第１文字として割り当てた。すなわち１番キーに「あ」、２番キーに「い」、３番キーに「う」、４番キーに「え」、５キーに「お」を表示した。 そして３個の半母音(や、ゆ、よ)を３個のキーボタン(１、２、３)に第２文字として割り当てた。
【００３９】
また、個別文字である撥音(ん)を子音「な」が割り当てられたキーボタンに第２文字として割り当て、促音(っ)は子音「ら」が割り当てられたキーボタンに第２文字として割り当てて表示した。
【００４０】
以下、図１及び図６を参照して本発明による日本語入力方法を、３Ｘ４配列の入力装置を通じて説明する。
まず、図１及び図６に示したように、使用者によって仮名文字入力モード(Ｓ１０２)で間接入力文字である子音または濁音または拗音を入力するために(Ｓ１０４)、子音または濁音に該当する特定文字行１つが選択される(Ｓ１０８)。そうすると、制御部１０は上記入力されたキーボタンに該当する文字テーブルを格納部４０から表示部３０の画面の一側に出力されるようにする(Ｓ１１２)。
【００４１】
そして使用者が上記表示部３０の画面の一側に出力された文字テーブルに対応された数字に該当する母音または半母音キーを押して特定文字を入力(Ｓ１１４)すれば、制御部１０は上記母音または半母音キーにより入力された文字が表示部３０の画面上に表示されるようにする。
【００４２】
そして制御部１０は使用者によるまた他の入力があるかどうかを判断して(Ｓ１１８)、入力がある場合、制御部１０は上記文字入力モード(Ｓ１０２)の過程から繰り返して入力し、更に入力する文字がなければ終了する。
【００４３】
以下、図６を参照して日本語入力方法を更に具体的に説明する。
使用者が日本語を入力するために、日本語文字入力モードに入る(Ｓ１０２)。この時、入力モードは基本的に平仮名モードで設定されていることが望ましい。
【００４４】
使用者が入力する文字が間接入力される文字であり(Ｓ１０４)、入力する文字が子音行であれば、第１文字である子音キーを１回押して子音を選択し、濁音行であれば上記２文字である濁音キーを２回押して濁音を選択する(Ｓ１０８)。上記段階で文字行が選択されたことを表示する文字カーソルを画面に表示する(Ｓ１１０)。
【００４５】
上記Ｓ１０８で文字行を選択すれば、図３ａに示すように、文字入力を指示する数字キーボタンと対応させた８段の日本語文字テーブルを画面の一側に出力(Ｓ１１２)することが望ましい。
【００４６】
上記Ｓ１０８で文字行１つが選択されれば、画面の一側に出力された文字テーブルに(Ｓ１１２)表示された文字段に該当する母音または半母音キーボタン１つを入力すれば(Ｓ１１４)、特定文字１つを選択的に入力して画面に表示する(Ｓ１１６)。
【００４７】
上記Ｓ１０８で文字行１つを選択した後に、入力する文字が子音または濁音であれば、文字段に該当する第１文字として母音が割り当てられたキーボタンのいずれか１つを１回押して子音または濁音を入力することになり、入力する文字が拗音であれば、第２文字として半母音が割り当てられたキーボタンのいずれか１つを２回押して特定拗音１つを入力することになる。
【００４８】
一方、Ｓ１０４で直接入力する文字であれば、入力する文字キーを選択して(Ｓ１０６)、入力する文字が母音であれば該当キーを１回で入力し、半母音であれば該当キーを２回で入力し、第２母音２字または撥音または促音などの個別文字であれば該当文字の文字キーを２回押して特定の個別文字１つを入力する。
【００４９】
下記は長音の入力方法を説明する。
平仮名入力モードでは先行入力した子音や濁音の段に該当する母音１つを付け加えて入力する。上記Ｓ１０８で文字行１つを選択した後に、５個の母音(あ、い、う、え、お)キーボタンのいずれか１つを３回または一定時間を長く押せば上記選択された文字行の段に該当する特定文字とともに長音(ー)が入力される。
【００５０】
本発明は上記の過程を通じて５０音図の基本文字と、濁音及び半濁音、拗音などの変形文字とを含んだ日本語仮名文字を簡潔に入力することができるように具現される。
【００５１】
上述のように本発明の日本語入力方法にしたがって図３ａを参照して「おけんきですか」を入力すれば次の通りである。
「おけんきですか」(＃＋１０＋５５＋１６＋４４０＋２９＋１３)
「お」＃番キー→「け」１＋０番キー→「ん」５＋５番キー→「き」１＋６番キー→「で」４４＋０番キー→「す」２＋９番キー→「か」１＋３番キー、したがって総１４回のキーボタン操作で「おけんきですか」を入力することになる。
【００５２】
図３ｂを参照して「ありがとうございます」を入力すれば下記の通りである。
「ありがとうございます」(１＋＃２＋６６１＋８５＋３＋６６５＋７７１＋２＋０１＋７３)「あ」１番キー→「り」＃＋２番キー→「が」６６＋１番キー→「と」８＋５番キー→「う」３番キー→「ご」６６＋５番キー→「ざ」７７＋１番キー→「い」２番キー→「ま」０＋１番キー→「す」７＋３番キー、したがって総２０回のキー操作で「ありがとうございます」を入力することになる。
【００５３】
次は図７を参照して日本語片仮名または漢字または第３の文字入力のための入力モード変換方法を説明する。
文字入力モード切り替えキーボタンは携帯電話機のような３Ｘ４配列のキーパッド外部に備える他のキーボタンを使うことができる。すなわち、メニューキー、ボリュームキーなどのいずれか１つのキーボタンを入力モード切り替えキーボタンとして設定して、入力モード切り替えキー入力があれば制御部１０は片仮名/漢字/数字/英語/特殊文字などの第３の文字入力モードに転換させる。
【００５４】
図１及び図７を参照すれば、日本語入力装置は文字入力モードが平仮名入力モードに設定されている。このように平仮名入力モード(Ｓ２０２)で使用者が平仮名文字以外の片仮名及び英語または漢字などの他のモードの文字(Ｓ２０４)を入力しようと入力モード切り替えキーボタン(Ｓ２０８)を押せば文字入力装置の制御部１０はこれを感知し、格納部３０から入力モード変換テーブル(Ｓ２１０)を呼び出して表示部４０の画面の一側に出力する。
【００５５】
また図７を参照すれば、上記表示装置の画面の一側に出力される入力モード変換テーブル(Ｓ２０８)は、図８に示すように、数字キーボタンに該当する数字とそれぞれの入力モードを指示する文字が一対一で対応された２行多数列の構造を有していることが望ましい。
【００５６】
また、図１及び図７を参照すれば、上記表示部４０の画面の一側に出力された入力モード変換テーブルの特定キーボタン１つを入力(Ｓ２１２)すれば、制御部１０は上記入力されたキーボタンに該当する特定文字入力モードに入ることになる。
【００５７】
使用者はキーボタンを通じて上記変換された入力モードの文字を入力(Ｓ２１４)すれば、上記入力された文字を表示部の画面に表出(Ｓ２１６)することになる。
【００５８】
使用者は、入力しようとする入力モードの文字入力を終了し、また他のモードの文字を更に入力するかどうかを判断して(Ｓ２１８)平仮名入力モードに復帰しようとすれば平仮名入力モードキーボタンを入力し、他のモードの文字を入力しようとすればリターンして文字入力モード切り替えキーボタン(Ｓ２０８)を入力する。
【００５９】
また他の実施例は３Ｘ４配列の数字キーボタンを用いる方式で、子音が割り当てられた７個のキーボタンそれぞれを入力切り替えキーに設定して、７個のキーボタンそれぞれに「平仮名/片仮名/漢字/数字/特殊文字/英語小文字/英語大文字」などの入力モードを第３文字に割り当て、上記７個のキーボタンに割り当てられた入力モードのキーボタンのいずれか１つを長く押せば制御部１０は入力モード転換信号があると判断して、選択した入力モードを実行させて選択された入力モードの文字入力を行い、更に入力する文字がなければ選択された入力モードの文字入力を終了し、また他の入力モードに切り替えるために７個のキーボタンに割り当てられたいずれか１つのキーボタンを長く押せば、制御部１０はまた他の入力モード転換信号があると判断して選択した入力モードに転換させる。
【００６０】
前述のように本発明は、上記実施例に限らず、当業者によって多様な変形及び変更をすることができ、これは添付の請求項に含まれる本発明の旨と範囲に含まれる。
【産業上の利用可能性】
【００６１】
本発明は文字数が多くて入力装置の構成が複雑であり、文字入力が難しい日本語入力方法の問題点を解決して日本語を容易に入力することができるように日本語行文字８段の入力方法を提供することで、日本語を易しく且つ早く入力することができる日本語入力方法を提供する。
【００６２】
したがって本発明によれば、日本語入力装置の構成が単純であり、直観的な文字配列を有する効率的な入力装置を提供することができるため、キーボード、携帯電話及び有・無線通信装置、リモートコントローラーなど、日本語入力装置を要する各種電子及び産業機器に広く活用することができる。
【符号の説明】
【００６３】
１０:制御部、２０:入力部、３０:表示部、４０:格納部
【図１】
2011521309.tif 000003
【図２】
2011521309.tif 000004
【図３ａ】
2011521309.tif 000005
【図３ｂ】
2011521309.tif 000006
【図４】
2011521309.tif 000007
【図５】
2011521309.tif 000008
【図６】
2011521309.tif 000009
【図７】
2011521309.tif 000010
【図８】
2011521309.tif 000011
【国際調査報告】
2011521309.tif 000012
2011521309.tif 000013
2011521309.tif 000014
2011521309.tif 000015
2011521309.tif 000016
2011521309.tif 000017